(57)【要約】【課題】  電子楽譜表示デバイスに表示された電子楽譜の操作に適したフットスイッチを提供する。【解決手段】  本発明による電子楽譜表示デバイス用のフットスイッチは、本体部と、本体部に設けられ、電子楽譜表示デバイスに表示された電子楽譜のページ送りをトリガする第１のスイッチと、本体部に設けられ、電子楽譜のページ戻しをトリガする第２のスイッチと、本体部に設けられ、決定機能をトリガする第３のスイッチとを備え、第１のスイッチ又は第２のスイッチの押下時に、第１のスイッチ又は第２のスイッチが傾斜する方向と、第３のスイッチの押下時に第３のスイッチが傾斜する方向とが異なるものである。【選択図】図１
2018180065.tif 000002
【特許請求の範囲】
【請求項１】
電子楽譜表示デバイス用のフットスイッチであって、
本体部と、
前記本体部に設けられ、電子楽譜表示デバイスに表示された電子楽譜のページ送りをトリガする第１のスイッチと、
前記本体部に設けられ、前記電子楽譜のページ戻しをトリガする第２のスイッチと、
前記本体部に設けられ、決定機能をトリガする第３のスイッチとを備え、
前記第１のスイッチ又は前記第２のスイッチの押下時に、前記第１のスイッチ又は前記第２のスイッチが傾斜する方向と、前記第３のスイッチの押下時に前記第３のスイッチが傾斜する方向とが異なる
ことを特徴とする、前記フットスイッチ。
【請求項２】
請求項１に記載の電子楽譜表示デバイス用のフットスイッチであって、前記第１のスイッチが押下された時に、前記電子楽譜のページ送りがトリガされ、前記第２のスイッチが押下された時に、前記電子楽譜のページ戻しがトリガされることを特徴とする、前記フットスイッチ。
【請求項３】
請求項１に記載の電子楽譜表示デバイス用のフットスイッチであって、前記第１のスイッチが押下された状態から解放された時に、前記電子楽譜のページ送りがトリガされ、前記第２のスイッチが押下された状態から解放された時に、前記電子楽譜のページ戻しがトリガされることを特徴とする、前記フットスイッチ。
【請求項４】
請求項１〜３のいずれか一項に記載の電子楽譜表示デバイス用のフットスイッチであって、前記電子楽譜表示デバイスにセットリストが表示されていない状態において、前記第３のスイッチが押下された時に、前記電子楽譜表示デバイスに前記セットリストが表示されることを特徴とする、前記フットスイッチ。
【請求項５】
請求項１〜４のいずれか一項に記載の電子楽譜表示デバイス用のフットスイッチであって、前記電子楽譜表示デバイスにセットリストが表示されている状態において、前記第３のスイッチが押下された時に、前記セットリスト中のフォーカス表示がされている電子楽譜が選択され、選択された前記電子楽譜の譜面が前記電子楽譜表示デバイスに表示されることを特徴とする、前記フットスイッチ。
【請求項６】
請求項１〜５のいずれか一項に記載の電子楽譜表示デバイス用のフットスイッチであって、前記電子楽譜表示デバイスにセットリストが表示されている状態において、前記第１又は第２のスイッチが押下されたときに、前記セットリスト中のフォーカス表示が移動することを特徴とする、前記フットスイッチ。
【請求項７】
請求項１〜６のいずれか一項に記載の電子楽譜表示デバイス用のフットスイッチであって、前記電子楽譜の最後のページが前記電子楽譜表示デバイスに表示されている場合に、前記第１のスイッチが押下された時に、最後に演奏が終了した電子楽譜と、次に演奏を開始する電子楽譜とを示す追加ページが前記電子楽譜表示デバイスに表示されることを特徴とする、前記フットスイッチ。
【請求項８】
請求項７に記載の電子楽譜表示デバイス用のフットスイッチであって、前記追加ページが前記電子楽譜表示デバイスに表示されている場合に、前記第１のスイッチが押下された時に、次に演奏を開始する電子楽譜の最初のページが表示されることを特徴とする、前記フットスイッチ。
【請求項９】
請求項１〜８のいずれか一項に記載の電子楽譜表示デバイス用のフットスイッチであって、前記電子楽譜の最初のページが前記電子楽譜表示デバイスに表示されている場合に、前記第２のスイッチが押下された時に、最後に演奏が終了した電子楽譜と、次に演奏を開始する電子楽譜とを示す追加ページが前記電子楽譜表示デバイスに表示されることを特徴とする、前記フットスイッチ。
【請求項１０】
請求項１〜９のいずれか一項に記載の電子楽譜表示デバイス用のフットスイッチであって、第１のボタンを更に備え、前記第１のボタンが押下された時に、近距離無線通信を開始することを特徴とする、前記フットスイッチ。
【請求項１１】
請求項１〜９のいずれか一項に記載の電子楽譜表示デバイス用のフットスイッチであって、第２のボタンを更に備え、前記第２のボタンが押下された時に、前記第３のスイッチを無効にすることを特徴とする、前記フットスイッチ。
【発明の詳細な説明】
【技術分野】
【０００１】
本発明は、電子デバイスの操作に用いるフットスイッチに関し、特に、電子楽譜表示デバイスの操作に用いるフットスイッチに関するものである。
【背景技術】
【０００２】
近年、ディジタル化の進展及び電子デバイスの薄型化に伴い、紙媒体の楽譜に代替するものとして、電子楽譜の普及への期待が高まっている。電子楽譜とは、電子デバイスに表示される楽譜であり、楽器の演奏の際に、従来の紙媒体の楽譜と同様に、譜面台に設置して用いることができる。紙媒体の楽譜では、演奏中に紙をめくるという動作が必要であり、特に、両手を使って演奏をする楽器の場合には、演奏の妨げになることがある。
【０００３】
そのため、手を使わずに電子楽譜をめくる方法として、フットスイッチを用いることが提案されている。フットスイッチは、足でペダルを踏むことで、電子楽譜を表示するデバイスの操作を可能とするものである。
【０００４】
従来の電子楽譜表示デバイス用のフットスイッチとして、特許文献１は、両手を使って演奏を行う楽器の演奏者が演奏を中断せずに入力できるようにするために足で操作可能な入力手段としてフットペダルを設け、演奏者がフットペダルを踏むことで、譜面めくり信号が電子楽譜代に送信され、データ処理手段が、譜面めくり信号に応答して、ディスプレイ上で電子譜面をめくるための表示制御を行うことを開示している。
【０００５】
しかしながら、特許文献１では、フットペダルは譜面めくり信号を送信するのみであり、電子譜面台が有する他の機能は、操作デバイスが有するボタン、キーボード、ペン等を用いて行う必要があるという問題があった。
【０００６】
この問題に対し、特許文献２では、ページ送り及びページ戻しの操作を行うための右ペダル及び左ペダルに加え、モード切替を行うための中ペダルを設け、メニューバーの操作ボタンを右ペダルと左ペダルを用いて選択可能にすることを開示している。また、特許文献２では、中ペダルからの入力信号が数秒以下の短時間の場合には、モード切替が行われないようにすることにより、右ペダルと左ペダルを操作する際に誤って中ペダルを操作した場合の誤操作を防止することを開示している。
【先行技術文献】
【特許文献】
【０００７】
【特許文献１】特開２０００−２３１３７９号公報
【特許文献２】特開２００５−３１２１７号公報
【発明の概要】
【発明が解決しようとする課題】
【０００８】
しかしながら、特許文献２では、中ペダルによりモード切替を行う際には、中ペダルを数秒間継続して押し続ける必要があり、ペダルの操作に即応したモード切替ができないという問題があった。
【０００９】
また、特許文献１及び特許文献２はいずれも、ペダルを踏み込むことにより、ページ送り又はページ戻りの操作を行うものであるが、演奏中にペダルを踏み込むという動作は、演奏時の自然な身体のゆらぎや体重移動とは異質の動作であり、演奏者が演奏に集中することの妨げになり得る。
【００１０】
そこで、本発明は、上記課題を解決し、ユーザの操作に即応しつつ、複数のスイッチ間の誤操作を防止する電子楽譜表示デバイス用のフットスイッチを提供するものである。また、演奏時の自然な身体の動きの流れに合わせて操作ができるよう、スイッチのトリガのタイミングをスイッチの押下時ではなく解放時に設定することが可能な電子楽譜表示デバイス用のフットスイッチを提供する。
【課題を解決するための手段】
【００１１】
上記課題を解決するため、本発明では、電子楽譜のページ送り及びページ戻りの機能を割り当てられた第１及び第２のスイッチの操作時の可動方向と、他の機能を割り当てられた第３のスイッチの押下時又は解放時の可動方向とが異なる電子楽譜表示デバイス用のフットスイッチを提供する。
【００１２】
本発明のある態様による電子楽譜表示デバイス用のフットスイッチは、本体部と、本体部に設けられ、電子楽譜表示デバイスに表示された電子楽譜のページ送りをトリガする第１のスイッチと、本体部に設けられ、電子楽譜のページ戻りをトリガする第２のスイッチと、本体部に設けられ、決定機能をトリガする第３のスイッチとを備え、第１のスイッチ又は第２のスイッチの押下時に、第１のスイッチ又は第２のスイッチが傾斜する方向と、第３のスイッチの押下時に第３のスイッチが傾斜する方向とが異なることを特徴とする。
【００１３】
本発明のある態様による電子楽譜表示デバイス用のフットスイッチにおいては、第１のスイッチが押下された時に、電子楽譜のページ送りがトリガされ、第２のスイッチが押下された時に、電子楽譜のページ戻りがトリガされることを特徴とする。
【００１４】
本発明のある態様による電子楽譜表示デバイス用のフットスイッチにおいては、第１のスイッチが押下された状態から解放された時に、電子楽譜のページ送りがトリガされ、第２のスイッチが押下された状態から解放された時に、電子楽譜のページ戻りがトリガされることを特徴とする。
【００１５】
本発明のある態様による電子楽譜表示デバイス用のフットスイッチにおいては、電子楽譜表示デバイスにセットリストが表示されていない状態において、第３のスイッチが押下された時に、電子楽譜表示デバイスにセットリストが表示されることを特徴とする。
【００１６】
本発明のある態様による電子楽譜表示デバイス用のフットスイッチにおいては、電子楽譜表示デバイスにセットリストが表示されている状態において、第３のスイッチが押下された時に、セットリスト中のフォーカス表示がされている電子楽譜が選択され、選択された電子楽譜の譜面が電子楽譜表示デバイスに表示されることを特徴とする。
【００１７】
本発明のある態様による電子楽譜表示デバイス用のフットスイッチにおいては、電子楽譜表示デバイスにセットリストが表示されている状態において、第１又は第２のスイッチが押下されたときに、セットリスト中のフォーカス表示が移動することを特徴とする。
【００１８】
本発明のある態様による電子楽譜表示デバイス用のフットスイッチにおいては、電子楽譜の最後のページが電子楽譜表示デバイスに表示されている場合に、第１のスイッチが押下された時に、最後に演奏が終了した電子楽譜と、次に演奏を開始する電子楽譜とを示す追加ページが電子楽譜表示デバイスに表示されることを特徴とする。
【００１９】
本発明のある態様による電子楽譜表示デバイス用のフットスイッチにおいては、追加ページが電子楽譜表示デバイスに表示されている場合に、第１のスイッチが押下された時に、次に演奏を開始する電子楽譜の最初のページが表示されることを特徴とする。
【００２０】
本発明のある態様による電子楽譜表示デバイス用のフットスイッチにおいては、電子楽譜の最初のページが電子楽譜表示デバイスに表示されている場合に、第２のスイッチが押下された時に、最後に演奏が終了した電子楽譜と、次に演奏を開始する電子楽譜とを示す追加ページが電子楽譜表示デバイスに表示されることを特徴とする。
【００２１】
本発明のある態様による電子楽譜表示デバイス用のフットスイッチにおいては、第１のボタンを更に備え、前記第１のボタンが押下された時に、近距離無線通信を開始することを特徴とする。
【００２２】
本発明のある態様による電子楽譜表示デバイス用のフットスイッチにおいては、第２のボタンを更に備え、前記第２のボタンが押下された時に、前記第３のスイッチを無効にすることを特徴とする。
【００２３】
本発明において、「セットリスト」とは、演奏される電子楽譜を演奏される順番に示したリストをいう。例えば、演奏会や演奏の練習時に複数の曲を演奏する際に、セットリストが用いられる。セットリストは、好ましくは楽譜のタイトル等を文字で示したものであるが、楽譜を画像やアイコン等、若しくは画像やアイコン等と文字との組合せで示したものであってもよい。
【発明の効果】
【００２４】
本発明の電子楽譜表示デバイス用のフットスイッチによれば、ユーザの操作に即応しつつ、複数のスイッチ間の誤操作を防止することが可能である。
【００２５】
また、スイッチのトリガのタイミングをスイッチの押下時ではなく解放時に設定することが可能であることにより、演奏時の自然な身体の動きの流れに合わせて操作ができるという効果を奏する。このように、電子楽譜表示デバイスに表示された電子楽譜の操作に適したフットスイッチを提供することができる。
本発明の他の目的、特徴および利点は添付図面に関する以下の本発明の実施例の記載から明らかになるであろう。
【図面の簡単な説明】
【００２６】
【図１】図１は、本発明による電子楽譜表示デバイス用のフットスイッチ及び電子楽譜表示デバイスの全体を示す概念図である。
【図２】図２は、本発明による電子楽譜表示デバイス用のフットスイッチの正面側からの斜視図である。
【図３】図３は、本発明による電子楽譜表示デバイス用のフットスイッチの背面側からの斜視図である。
【図４】図４は、本発明による電子楽譜表示デバイス用のフットスイッチの底面側からの斜視図である。
【図５】図５は、本発明による電子楽譜表示デバイス用のフットスイッチの右側面図である。
【図６】図６は、本発明による電子楽譜表示デバイス用のフットスイッチの左側面図である。
【図７】図７は、本発明による電子楽譜表示デバイスにセットリストを表示した場合の一例を示す図である。
【図８】図８は、本発明による電子楽譜表示デバイスに表示される追加ページの一例を示す図である。
【発明を実施するための形態】
【実施例１】
【００２７】
図１は、本発明による電子楽譜表示デバイス用のフットスイッチ及び電子楽譜表示デバイスの全体を示す概念図である。
本発明によるフットスイッチ１は、電子楽譜表示デバイス２の操作に用いられるものである。電子楽譜表示デバイス２には、大量の電子楽譜を保存することができ、演奏時等には、保存された電子楽譜が表示される。また、電子楽譜表示デバイス２には、複数の電子楽譜を演奏順に並べたセットリストを保存することができる。
【００２８】
フットスイッチ１は、有線又は無線により電子楽譜表示デバイス２に接続される。フットスイッチ１は、電子楽譜表示デバイス２に表示された電子楽譜のページ送りやページ戻し等に用いられる。また、フットスイッチ１は、セットリストの編集の際にも用いることができる。セットリストの編集とは、セットリストに電子楽譜を追加したり、セットリストから電子楽譜を削除したり、セットリスト内の電子楽譜の順序を移動させたりすることである。セットリストの編集の際に、フットスイッチ１を用いて、複数の電子楽譜を表示したリスト又はセットリストから特定の電子楽譜を選択し、追加、削除又は移動する電子楽譜を決定することができる。
【００２９】
図２は、本発明による電子楽譜表示デバイス用のフットスイッチの正面側からの斜視図である。
本発明による電子楽譜表示デバイス用のフットスイッチ１は、本体部１０と、本体部１０に設けられ、電子楽譜表示デバイス２に表示された電子楽譜のページ送りをトリガする第１のスイッチ２０と、本体部１０に設けられ、電子楽譜のページ戻しをトリガする第２のスイッチ２１と、本体部１０に設けられ、決定機能をトリガする第３のスイッチ３０とを備え、第１のスイッチ２０又は第２のスイッチ２１の押下時に、第１のスイッチ２０又は第２のスイッチ２１が傾斜する方向と、第３のスイッチ３０の押下時に第３のスイッチ３０が傾斜する方向とが異なる。
【００３０】
第１のスイッチ２０、第２のスイッチ２１及び第３のスイッチ３０は、本体部１０に設けられる。好ましくは、図２に示されるように、第１のスイッチ２０は本体部１０の中央より右側に設けられ、第２のスイッチ２１は本体部１０の中央より左側に設けられ、第３のスイッチ３０は本体部１０の中央に設けられる。しかしながら、図２の例に限られず、例えば、第１のスイッチ２０を本体部１０の中央より左側に設けられ、第２のスイッチ２１を本体部１０の中央より右側に設けるようにしてもよい。
【００３１】
第３のスイッチ３０は、好ましくは、第１のスイッチ２０と第２のスイッチ２１の間に設けられる。図２の例のように、第３のスイッチ３０は、本体部１０の突出部１１に設けられ、第１のスイッチ２０の一部と第２のスイッチ２１の一部とが隣り合うようにしてもよい。
【００３２】
第１のスイッチ２０は、電子楽譜表示デバイス２に表示されたセットリスト又は電子楽譜のページ送りに用いられる。ここで、ページ送りとは、表示されている電子楽譜のページを次に演奏されるページに進めることをいう。典型的には、ページ送りとは、表示されている電子楽譜のページを１つ次のページに進めることをいう。しかしながら、電子楽譜には譜面中に最初のページ又は特定のページに戻ることを意味する記号が存在する場合がある。その場合には、１つ次のページではなく最初のページ又は特定のページに戻ることになる。このように、１つ次のページではなく離れたページに飛ぶ場合であっても、次に演奏されるページに進むことになる場合には、ページ送りとする。
【００３３】
また、第１のスイッチ２０は、電子楽譜表示デバイス２に表示されたセットリスト又はメニュー画面や各種設定画面等において、フォーカス表示を次の対象又は項目へと移動させることにも用いられる。例えば、電子楽譜表示デバイス２にセットリストが表示されている状態において、第１のスイッチ２０が押下されたときに、セットリスト中のフォーカス表示が移動する。ここで、フォーカス表示とは、現在選択されている対象又は項目が、選択されていない対象又は項目と区別可能なように表示された状態をいう。例えば、フォーカス表示とは、現在選択されている対象又は項目の背景に色を付ける、文字を太字にする、明転／暗転をする、点滅をさせる等、何らかの方法で強調表示された状態をいう。フォーカス表示を次の対象又は項目へと移動させることには、例えば、フォーカス表示を１つ右の対象又は項目へと移動させること、又はフォーカス表示を１つ下の対象又は項目へと移動させることが含まれる。
【００３４】
第２のスイッチ２１は、電子楽譜表示デバイス２に表示された電子楽譜のページ戻しに用いられる。ここで、ページ戻しとは、表示されている電子楽譜のページを前に演奏されるページに戻すことをいう。典型的には、表示されている電子楽譜のページを１つ前のページに戻すことをいう。しかしながら、１つ前のページではなく離れたページに飛ぶ場合であっても、前に演奏されるページに戻ることになる場合は、ページ戻しとする。
【００３５】
また、第２のスイッチ２１は、電子楽譜表示デバイス２に表示されたメニュー画面や各種設定画面等において、フォーカス表示を前の対象又は項目へと移動させることにも用いられる。例えば、電子楽譜表示デバイス２にセットリストが表示されている状態において、第２のスイッチ２１が押下されたときに、セットリスト中のフォーカス表示が移動する。フォーカス表示を前の対象又は項目へと移動させることには、例えば、フォーカス表示を１つ左の対象又は項目へと移動させること、又はフォーカス表示を１つ上の対象又は項目へと移動させることが含まれる。
【００３６】
第３のスイッチ３０は、セットリストの呼び出し又はメニュー画面や各種設定画面等の呼び出しをトリガする。電子楽譜表示デバイスにセットリストが表示されていない状態において、第３のスイッチ３０が押下された時に、電子楽譜表示デバイス２にセットリストが表示される。例えば、演奏中等に、電子楽譜表示デバイス２に電子楽譜が表示されているときに、第３のスイッチ３０が押下されると、セットリストを呼び出し、電子楽譜表示デバイス２にセットリストを表示するようにしてもよい。
【００３７】
また、第３のスイッチ３０は、決定機能をトリガする。例えば、第３のスイッチは、各種設定画面等において、現在選択されている対象又は項目に決定することに用いられる。即ち、第３のスイッチ３０は、現在フォーカス表示がされている対象又は項目に決定する決定機能をトリガする。また、対象又は項目の選択を行う場合だけでなく、例えば、電子楽譜表示デバイスの画面に何らかのメッセージを提示するダイアログが表示された場合に、ＯＫボタンを押下する代わりに、第３のスイッチ３０を押下して、メッセージの承認をすることにも用いられる。
【００３８】
例えば、電子楽譜表示デバイス２にセットリストが表示されている状態において、第３のスイッチ３０が押下された時に、セットリスト中のフォーカス表示がされている電子楽譜が選択され、選択された電子楽譜の譜面が電子楽譜表示デバイス２に表示される。
【００３９】
第１のスイッチ２０のトリガのタイミングは、第１のスイッチ２０が押下された時に、電子楽譜のページ送りがトリガされるようにするか、第１のスイッチ２０が押下された状態から解放された時に、電子楽譜のページ送りがトリガされるようにするかを設定により変更することができる。同様に、第２のスイッチ２１のトリガのタイミングも、第２のスイッチ２１が押下された時に、電子楽譜のページ送りがトリガされるようにするか、第２のスイッチ２１が押下された状態から解放された時に、電子楽譜のページ送りがトリガされるようにするかを設定により変更することができる。
【００４０】
例えば、演奏中に、電子楽譜表示デバイス２に電子楽譜が表示されている場合には、第１のスイッチ２０が押下された状態から解放された時に、電子楽譜のページ送りがトリガされ、第２のスイッチ２１が押下された状態から解放された時に、電子楽譜のページ戻しがトリガされるようにしてもよい。一方、演奏中以外のときに、電子楽譜表示デバイス２にセットリスト又はメニュー画面や各種設定画面等が表示されている場合には、第１のスイッチ２０が押下された時に、電子楽譜のページ送りがトリガされ、第２のスイッチ２１が押下された時に、電子楽譜のページ戻しがトリガされるようにしてもよい。
【００４１】
同様に、第３のスイッチ３０のトリガのタイミングも、第３のスイッチ３０が押下された時に、電子楽譜のページ送りがトリガされるようにするか、第３のスイッチ３０が押下された状態から解放された時に、電子楽譜のページ送りがトリガされるようにするかを設定により変更することができる。
【００４２】
図３は、本発明による電子楽譜表示デバイス用のフットスイッチの背面側からの斜視図である。
フットスイッチ１は、第１のボタンを更に備え、第１のボタンが押下された時に、近距離無線通信を開始するようにしてもよい。近距離無線通信は、電子楽譜表示デバイス２との間で行われるが、他のデバイス又は端末との間で行うようにしてもよい。例えば、フットスイッチ１は、近距離無線通信により、携帯電話、スマートフォン、ＰＤＡ、ゲーム機等の携帯端末やパーソナルコンピュータ等の計算機と通信するようにしてもよい。好ましくは、近距離無線通信は、ブルートゥース（登録商標）を用いるが、これに限られず、他の方式による近距離無線通信を用いてもよい。
【００４３】
フットスイッチ１は、第２のボタン４２を更に備え、第２のボタン４２が押下された時に、第３のスイッチ３０を無効にするようにしてもよい。即ち、第３のスイッチ３０を押下しても第３のスイッチ３０に割り当てられた機能が働かないようにすることができる。第２のボタン４２は、演奏中等、第３のスイッチ３０の操作が必要でない場合に、第３のスイッチ３０を無効にすることにより、演奏中の誤動作を防止するために設けられる。
【００４４】
第１のボタン４１及び第２のボタン４２は、好ましくは、図３に示すように、本体部１０の突出部１１に設けられるが、これに限られず、第１のボタン４１及び第２のボタン４２を本体部１０の他の部分に設けるようにしてもよい。また、第１のボタン４１及び第２のボタン４２のみに限られず、任意の数の複数のボタンを設け、それぞれに任意の機能を割り当てるようにしてもよい。なお、図３の例では、第１のボタン４１と第２のボタン４２とは隣同士に設けられているが、これに限定されない。
【００４５】
フットスイッチ１は、フットスイッチ１全体の電源のオン及びオフを行う電源スイッチ５０を更に設けるようにしてもよい。一方、電源スイッチ５０を設けずに、フットスイッチ１全体の電源のオン及びオフを行う機能を第１のスイッチ２０、第２のスイッチ２１又は第３のスイッチ３０に割り当てるようにしてもよい。
【００４６】
図４は、本発明による電子楽譜表示デバイス用のフットスイッチの底面側からの斜視図である。
フットスイッチ１の本体部１０には、電子楽譜表示デバイスと有線接続を行う際のプラグ挿入口６０を設けるようにしてもよい。有線接続に用いられるプラグは、好ましくは、ＵＳＢプラグであるが、これに限られず、他の方式のプラグを用いてもよい。また、本体部１０は、プラグを通すための開口部６１を設けるようにしてもよい。好ましくは、プラグを通すための開口部６１は、本体部１０の突出部１１に設けられるが、本体部１０の他の場所に設けるようにしてもよい。
【００４７】
図５は、本発明による電子楽譜表示デバイス用のフットスイッチの右側面図である。
本発明によるフットスイッチ１では、第１のスイッチ２０の押下時に第１のスイッチ２０が傾斜する方向と、第３のスイッチ３０の押下時に第３のスイッチ３０が傾斜する方向とが異なる。第１のスイッチ２０が押下されると、図５のようにフットスイッチ１を右側面から見た場合に、第１のスイッチ２０は回転軸Ｐを中心に角度ａ１だけ反時計回りに回転する方向に傾斜する。一方、第３のスイッチ３０が押下されると、第３のスイッチ３０は回転軸Ｐを中心に角度ａ２だけ時計回りに回転する方向に傾斜する。
【００４８】
図６は、本発明による電子楽譜表示デバイス用のフットスイッチの左側面図である。
本発明によるフットスイッチ１では、第２のスイッチ２１の押下時に第２のスイッチ２１が傾斜する方向と、第３のスイッチ３０の押下時に第３のスイッチ３０が傾斜する方向とが異なる。第２のスイッチ２１が押下されると、図６のようにフットスイッチ１を左側面から見た場合に、第２のスイッチ２１は回転軸Ｐを中心に角度ａ１だけ時計回りに回転する方向に傾斜する。一方、第３のスイッチ３０が押下されると、第３のスイッチ３０は回転軸Ｐを中心に角度ａ２だけ反時計回りに回転する方向に傾斜する。
【００４９】
図５及び図６において、第１のスイッチ２０の押下時に第１のスイッチが傾斜する方向と第２のスイッチ２１の押下時に第２のスイッチが傾斜する方向とは、好ましくは実質的に同一である。また、第１のスイッチ２０の押下時に第１のスイッチが傾斜する方向と第２のスイッチ２１の押下時に第２のスイッチが傾斜する方向とは、好ましくは実質的に同一であるが、これに限られず、第１のスイッチ２０が傾斜する方向と、第２のスイッチ２１が傾斜する方向とが異なるようにしてもよい。また、上記図５及び図６の説明において、第１のスイッチ２０が傾く角度ａ１と第２のスイッチ２１が傾く角度ａ１とは好ましくは実質的に同一であるが、これに限られず、第１のスイッチ２０が傾く角度ａ１と第２のスイッチ２１が傾く角度ａ１とが異なる角度となるようにしてもよい。
【００５０】
図７は、本発明による電子楽譜表示デバイス２にセットリストを表示した場合の一例を示す図である。
図７を用いて、本発明のフットスイッチ１の第１から第３のスイッチの操作の一例を説明する。図７の例では、電子楽譜表示デバイス２の左画面８０には、複数のセットリスト９０が一覧表示されている。電子楽譜表示デバイス２の右画面８１には、現在選択されてフォーカス表示がされているセットリスト９１に登録されている電子楽譜９２が一覧表示されている。電子楽譜９２の最初に表示されている電子楽譜９３は、このセットリスト９１の中で最初に演奏される電子楽譜である。図７の画面の状態から、フットスイッチ１を用いて、電子楽譜９２のうち２番目に表示されている電子楽譜９４の譜面を表示するには、第１のスイッチ２０を１回押して、セットリスト９１のフォーカス表示１００を右画面８１の一番目に表示されている電子楽譜９３に移動させる。次に、第１のスイッチ２０を１回押下して、フォーカス表示１００を電子楽譜９４の位置に移動させる。最後に、第３のスイッチ３０を押下して、電子楽譜９４の譜面を表示させる。
【００５１】
例えば、電子楽譜９４の位置にフォーカス表示１００がある場合に、電子楽譜９３の位置にフォーカス表示１００を移動させるためには、第２のスイッチ２１を２回押下する。また、電子楽譜９３の位置にフォーカス表示１００がある場合に、左画面８０の４番目のセットリスト９５を表示するためには、第２のスイッチ２１を１回押下して、フォーカス表示１００をセットリスト９１の位置に移動させ、第１のスイッチ２０を３回押下して、フォーカス表示１００をセットリスト９５の位置に移動させ、第３のスイッチ３０を押下すると、セットリスト９５に登録されている電子楽譜９２が右画面８１に一覧表示される。
【００５２】
図８は、本発明による電子楽譜表示デバイスに表示される追加ページの一例を示す図である。
電子楽譜の最後のページが電子楽譜表示デバイス２に表示されている場合に、第１のスイッチ２０が押下された時に、最後に演奏が終了した電子楽譜と、次に演奏を開始する電子楽譜とを示す追加ページが電子楽譜表示デバイス２に表示される。また、追加ページが電子楽譜表示デバイス２に表示されている場合に、第１のスイッチ２０が押下された時に、次に演奏を開始する電子楽譜の最初のページが表示される。また、電子楽譜の最初のページが電子楽譜表示デバイス２に表示されている場合に、第２のスイッチ２１が押下された時に、最後に演奏が終了した電子楽譜と、次に演奏を開始する電子楽譜とを示す追加ページが電子楽譜表示デバイス２に表示される。
【００５３】
図８の例では、電子楽譜表示デバイス２の左画面８０と右画面８１のそれぞれに図７のセットリスト９１に登録されている電子楽譜９２が一覧表示されている。セットリスト９１の最初の電子楽譜９３の演奏が終了し、電子楽譜９３の最後のページを表示した状態で、第２のスイッチ２１を押下してページ送りを行うと、図８のような表示になる。図８の右画面８１では、現在演奏が終了した電子楽譜９３が強調表示されている。図８の右画面８１では、次に演奏をする電子楽譜９４が強調表示されている。この追加ページが表示された状態で、第１のスイッチ２０を押下すると、次に演奏する電子楽譜９４の譜面が左画面８０及び右画面８１に表示される。このような追加ページをセットリスト内の各電子楽譜の間に挿入することにより、演奏者は、演奏中であっても現在セットリスト内のどの電子楽譜を演奏しているのかを容易に把握することができる。
【００５４】
以上で説明した通り、本発明は、電子楽譜表示デバイスに表示された電子楽譜の操作に適したフットスイッチを提供するものであり、ユーザの操作に即応しつつ、複数のスイッチ間の誤操作を防止することが可能な電子楽譜表示デバイス用のフットスイッチを提供するものである。図７及び図８を用いて説明したフットスイッチ１の各スイッチの操作例やセットリストを表示した場合の画面例は例示であり、これに限られるものではない。
上記記載は実施例についてなされたが、本発明はそれに限らず、本発明の精神と添付の請求の範囲の範囲内で種々の変更および修正をすることができることは当業者に明らかである。
【符号の説明】
【００５５】
１  フットスイッチ
２  電子楽譜表示デバイス
１０  本体部
２０  第１のスイッチ
２１  第２のスイッチ
３０  第３のスイッチ
４１  第１のボタン
４２  第２のボタン
５０  電源スイッチ
６０  プラグ挿入口
６１  開口部
７０  バッテリー格納部
【図１】
2018180065.tif 000003
【図２】
2018180065.tif 000004
【図３】
2018180065.tif 000005
【図４】
2018180065.tif 000006
【図５】
2018180065.tif 000007
【図６】
2018180065.tif 000008
【図７】
2018180065.tif 000009
【図８】
2018180065.tif 000010